(57)【要約】【課題】要介護者のペニスの外周面に適切に密接せしめ、同所より漏出せんとする排尿を良好に吸収してサック開口からの尿漏れを適切に防止し、又ペニスを確実に捕捉し、使用中におけるずれ落ちを有効に防止する排尿サックを提供する。【解決手段】一端に開口２を有し他端が閉鎖されたサック１を用い、該サック１の開口部２′内周面に弾力性を有する尿吸収材３を帯状に配設し、該帯状尿吸収材３を配設した帯域で伸縮性を有する締結帯４を形成し、上記開口２から差し込んだペニスの基部外周面を上記締結帯４の収縮力にて捕捉すると共に、該収縮力にて上記帯状尿吸収材３の内周面を同ペニスの基部外周面に密接し、ペニス先から延びるサック余長部内に排尿を促し、上記開口２から漏出せんとする排尿を上記帯状尿吸収材３にて吸収し同漏出を防止する使い捨て用排尿サック。【選択図】        図２
2004261346.tif 000002
【特許請求の範囲】
【請求項１】
一端に開口を有し他端が閉鎖されたサックを用い、該サックの開口部内周面に弾力性を有する尿吸収材を帯状に配設し、該帯状尿吸収材を配設した帯域で伸縮性を有する締結帯を形成し、上記開口から差し込んだペニスの基部外周面を上記締結帯の収縮力にて捕捉すると共に、該収縮力にて上記帯状尿吸収材の内周面を同ペニスの基部外周面に密接し、ペニス先から延びるサック余長部内に排尿を促し、上記開口から漏出せんとする排尿を上記帯状尿吸収材にて吸収し同漏出を防止する構成としたことを特徴とする使い捨て用排尿サック。
【請求項２】
上記サックの開口部に開口の口径を縮径又は閉鎖する手段を設けたことを特徴とする請求項１記載の使い捨て用排尿サック。
【請求項３】
上記サックを透明又は半透明のプラスチックフィルムにて形成し、同サック外面又は内面に排尿の量を指示する目盛りを付したことを特徴とする請求項１記載の使い捨て用排尿サック。
【発明の詳細な説明】
【０００１】
【発明の属する技術分野】
本発明は障害者、高齢者等の要介護者の排尿、又は外出時の緊急用排尿に適した使い捨て用排尿サックに関する。
【０００２】
【従来の技術】
この種要介護者等に用いられている使い捨て用紙おむつは、総じておむつに吸収された尿が肌に密着する不快感があり、かぶれの障害を生じ、加えて嵩張る欠点を有している。
【０００３】
又要介護者等の股間への装着作業に手間が掛かり、回収と廃棄処理コストが高く付く問題を有している。
【０００４】
【課題を解決するための手段】
これに対し、本発明は要介護者等のペニスをサックに挿入して排尿を促す方法を採りつつ、該ペニスを挿入せるサックの開口部を要介護者等のペニスに適切にフィットせしめ、同所において適切に尿漏れ防止が図れるようにした使い捨て用排尿サックを提供するものである。
【０００５】
要述すると、一端に開口を有し他端が閉鎖されたサックを用い、上記排尿サックの開口部内周面に弾力性を有する尿吸収材を帯状に配設し、該帯状尿吸収材を配設した帯域で伸縮性を有する締結帯を形成し、上記開口から差し込んだペニスの基部外周面を上記締結帯の収縮力にて捕捉すると共に、該収縮力にて上記帯状尿吸収材の内周面を同ペニスの基部外周面に密接し、ペニス先から延びるサック余長部内に排尿を促し、上記開口から漏出せんとする排尿を上記帯状尿吸収材にて吸収し同漏出を防止する構成とした使い捨て用排尿サックを提供するものである。
【０００６】
上記排尿サックの開口部に、開口の口径を縮径又は閉鎖する手段を設け、要介護者等によって太さの異なるペニスに適切に対応できるようにする。又使用後のサック内の尿を便器等に流した後、開口を閉鎖して廃棄できるようにする。
【０００７】
又上記排尿サックを透明又は半透明のプラスチックフィルムにて形成し、同サック外面又は内面に排尿の量を指示する目盛りを付し、排尿量を事後的に容易に把握できるようにする。
【０００８】
上記使い捨て用排尿サックは弾力性を有する帯状尿吸収材を、同所に形成された締結帯の収縮力にて要介護者等のペニスの外周面に適切にフィットし、サック開口部において尿を吸収し、同所における尿漏れを適切に防止すると共に、これによりペニスを確実に捕捉し、使用中におけるずれ落ちを有効に防止する。
【０００９】
又サック開口部の伸縮を利用してペニスへの装着と取り外し作業が容易に行え、使用後はサック内の尿を便器に流し、小さくまとめて廃棄し得る。総じてコンパクト且つ軽量で使い捨てに適し、排尿サックとしての適性を富有する。
【００１０】
【発明の実施の形態】
以下本発明に係る使い捨て用排尿サックの実施形態を図１乃至図９に基づき説明する。
【００１１】
図１，図２，図３に示すように、排尿サック１は一端に開口２を有し、他端が閉鎖された底部を有している筒状袋であり、好ましくは全長において等径で細長の円筒状袋を用いる。
【００１２】
上記排尿サック１は遮水性を有するプラスチックフィルム、又はゴム製フィルムに代表される軟質材から成り、自由に撓み変形し、畳み込むことが可能である。又は同材として同様の性能を有する防水処理を施した防水紙を適用する。
【００１３】
上記排尿サック１の開口２を画成する開口部２′の内周面に弾力性を有する尿吸収材３を帯状に配設し、該帯状尿吸収材３を配設した帯域で伸縮性を有する締結帯４を形成する。
【００１４】
上記帯状尿吸収材３は繊維を比較的肉厚に積層し帯状にした構造を有し、不織布、例えばパルプ繊維等の有機繊維から成る不織布、又はワタが適材である。その他化学繊維、又は有機繊維と化学繊維の混合繊維の使用が可能である。上記帯状尿吸収材３は内部に充分な空隙を有し、弾力性と尿吸収性に富む。
【００１５】
上記帯状尿吸収材３にはその保水性能を高めるため、水分、即ち尿５を速やかに吸収しゲル状に固形化する吸水性ポリマーを保有させることができる。
【００１６】
又上記帯状尿吸収材３には帯状又は線状のゴム紐６等を環状に縫着又は接着する既知の手段を用いて上記伸縮性を付与する。即ち伸縮性を有する締結帯４を形成する。
【００１７】
上記帯状尿吸収材３の外周面は接着材又は両面接着テープを介して排尿サック１の開口部２′の内周面に一体に接着し、同外周面を遮水性を有する排尿サック１の開口部２′にてバックアップし、帯状尿吸収材３で吸収した尿５を遮水する。
【００１８】
図３，図４に示すように、上記排尿サック１の上記開口２から要介護者のペニス７を差し込み、該ペニス７の基部外周面を上記締結帯４の収縮力にて捕捉すると共に、該収縮力にて上記帯状尿吸収材３の内周面を同ペニス７の基部外周面に密接し装着する。
【００１９】
そしてペニス７の先端から延出するサック余長部内に排尿を促し、上記開口２から漏出せんとする排尿を上記帯状尿吸収材３にて吸収し、同漏出を防止する。
【００２０】
図５乃至図９に示すように、上記サック１の開口部２′に開口２の口径を縮径又は閉鎖する手段を設ける。
【００２１】
具体例として図５，図６に示すように、上記排尿サック１の開口部２′の外周面に、該開口部２′、即ち開口２の口径を縮径する面ファスナー８を設け、要介護者等によって太さの異なるペニス７に適切にフィットせしめる。
【００２２】
図５，図６はマジックテープ（商品名）と称される面ファスナー８を用いた場合を示し、例えば図６Ａに示すように、この雄形の面ファスナー片８ａと雌形の面ファスナー片８ｂを排尿サック１の開口部２′の外周面に周方向に間隔を置いて接着しておき、図６Ｂに示すように、各面ファスナー片８ａと８ｂを面係合することによって上記サック１の開口部２′、即ち開口２の口径を縮径し、面係合位置によって縮径度を調整する。
【００２３】
図６に破線で示すように、上記面ファスナー８の少なくとも一方８ａを充分に長くし、他方８ｂの係合位置を充分に深くすることにより、上記開口２を閉鎖する。従って面ファスナー８は縮径手段と閉鎖手段として兼ねさせることができ、又は一方の手段としてのみ機能させることができる。
【００２４】
上記各面ファスナー片８ａ，８ｂは接着材又は両面接着テープを介して排尿サック１の開口部２の外周面に接着する。従って面ファスナー８と帯状尿吸収材３との間に排尿サック１の開口部２′が介在する構成である。
【００２５】
上記面ファスナー８の他例として、図７，図８に示すように、一面に接着材層を有し、剥離紙によって被覆した面ファスナー８を用いることができる。例えば図８Ａに示すように、排尿サック１の開口部２′外周面にファスナータブ８ｃを接着等にて取り付けて置き、図８Ｂに示すように、該ファスナータブ８ｃから剥離紙を除去した上で、サック１の開口部２′外周面の所定位置に面接着することによって上記サック１の開口２の口径を縮径し、面接着位置によって縮径度を調整する。
【００２６】
上記ファスナータブ８ｃの係合位置を充分に深くすることにより、上記開口２を閉鎖する。従って面ファスナー８は縮径手段と閉鎖手段として兼ねさせることができ、又は一方の手段としてのみ機能させることができる。
【００２７】
更に他例として図９に示すように、上記開口部２′に沿って閉鎖用結束紐１０を環状に巡らせ、その端部を外方へ突出しておく。この閉鎖用結束紐１０としてはゴム紐が適切であり、同結束紐１０を縮径しつつ結縛する等して上記開口２を閉鎖する。例えば車輌走行時等、直ちには尿を廃棄できない状況である場合に上記閉鎖用結束紐１０、面ファスナー８を用い開口２を閉鎖し、一時的に保存する。
【００２８】
又実施形態例として、図１，図２に示すように、上記排尿サック１を透明又は半透明のプラスチックフィルムにて形成し、同サック外面又は内面に排尿５の量を指示する目盛り９を付し、排尿量を事後的に容易に把握できるようにする。
【００２９】
上記排尿サック１は透視可能であり、ペニス７より取り外した後、尿液面と目盛り９の一致により尿５の量を即座に判断でき、加えて尿５の色の状態を透視し、健康状態を観察できる。
【００３０】
上記プラスチックフィルムとしては、安価で入手が容易な天然樹脂、合成樹脂フィルムを用いる。又環境保全の見地から既知の生分解性プラスチックフィルムを用いることができる。この生分解性プラスチックフィルムはトウモロコシ等のでんぷんを原料とし、ポリ（３−ヒドロキシブタン酸）、ポリ（３−ヒドロキシブタン酸−ｃｏ−３−ヒドロキシ吉草酸）、ポリカプロラクトン、ポリブチレンサクシネート、ポリ（ブチレンサクシネート−ｃｏ−アジペート）、ポリエチレンサクシネート等がある。
【００３１】
上記排尿サック１を形成するフィルムは、これらの生分解プラスチックを１０〜３０μｍにフィルム成形し、筒状袋にしたものを用いる。
【００３２】
尚図３においては就寝している要介護者にサック１を装填した状態を例示しているが、この時サック１は撓み性と尿重力により屈撓するが、理解を容易にするため直立して図示した。
【００３３】
【発明の効果】
上記使い捨て用排尿サックは弾力性を有する帯状尿吸収材を、同所に形成された締結帯の収縮力にて要介護者のペニスの外周面に適切に密接せしめ、同所より漏出せんとする排尿を良好に吸収し、サック開口部からの尿漏れを適切に防止できる。
【００３４】
又これによりペニスを確実に捕捉し、使用中におけるずれ落ちを有効に防止できる。
【００３５】
又サック開口部の伸縮を利用してペニスへの装着と取り外し作業が容易に行え、使用後はサック内の尿を便器等に流し、小さくまとめて廃棄し得る。総じてコンパクト且つ軽量で使い捨てに適した排尿サックを提供できる。
【図面の簡単な説明】
【図１】使い捨て用排尿サックの縦断面図。
【図２】同拡大平面図。
【図３】同サックの使用状態を示す側面図。
【図４】同使用状態におけるサック開口部の拡大縦断面図。
【図５】上記使い捨て用排尿サックの縮径手段又は閉鎖手段を例示する側面図。
【図６】Ａは上記図５の縮径手段による縮径前の状態を示す横断面図、Ｂは同縮径後の状態を示す横断面図。
【図７】上記使い捨て用排尿サックの縮径手段又は閉鎖手段の他例を示す側面図。
【図８】Ａは上記図７の縮径手段による縮径前の状態を示す横断面図、Ｂは同縮径後の状態を示す横断面図。
【図９】上記使い捨て用排尿サックの縮径手段又は閉鎖手段の他例を示す開口部の平面図。
【符号の説明】
１…排尿サック、２…開口、２′…開口部、３…帯状尿吸収材、４…締結帯、５…尿、６…ゴム紐、７…ペニス、８…面ファスナー、８ａ，８ｂ…面ファスナー片、８ｃ…ファスナータブ、９…目盛り、１０…閉鎖用結束紐
【図１】
2004261346.tif 000003
【図２】
2004261346.tif 000004
【図３】
2004261346.tif 000005
【図４】
2004261346.tif 000006
【図５】
2004261346.tif 000007
【図６】
2004261346.tif 000008
【図７】
2004261346.tif 000009
【図８】
2004261346.tif 000010
【図９】
2004261346.tif 000011